(57)【特許請求の範囲】
【請求項１】
折れ曲がる前のフラットケーブルを保持する第１の保持部と、
斜辺を有する板状のベース本体を具備し、前記フラットケーブルが前記斜辺において前記ベース本体の一方の面から他方の面に折り曲げられるベース部と、
前記ベース部で折り曲げられた前記フラットケーブルを保持する第２の保持部と、
を備え、
前記第１の保持部は、
折り曲げ角度を広げようとする前記フラットケーブルの反発力を規制する第１の側壁と、
前記フラットケーブルの一方の面に接する支承面を有する第１の支承部と、
前記フラットケーブルの他方の面に接する係止面を有し、かつ、前記第１の側壁に片持ち支持された第１の係止部と、
を備え、
前記第２の保持部は、前記フラットケーブルを保持する複数の保持手段を有し、前記保持手段の各々で前記フラットケーブルを保持したときの前記ベース部でのフラットケーブルの折り曲げ角度がそれぞれ異なっており、
前記フラットケーブルの前記反発力を規制する第２の側壁と、
折り返された前記フラットケーブルの一方の面に接する係止面を前記保持手段の各々に対応して有し、かつ、前記第２の側壁に片持ち支持された第２の係止部と、
折り返された前記フラットケーブルの他方の面に接する支承面を前記保持手段の各々に対応して有し、かつ、前記支承面の相互の境界に前記フラットケーブルの前記反発力を規制する段差を有する第２の支承部と、
を備えることを特徴とするフラットケーブル用折り曲げ保持具。
【請求項２】
前記第１の支承部、第１の係止部およびベース本体が、第１の支承部と第１の係止部との間、および、第１の係止部とベース本体との間にフラットケーブルが通る間隔を空けて配列され、前記ベース本体、第２の係止部および第２の支承部が、ベース本体と第２の係止部との間、および、第２の係止部と第２の支承部との間にフラットケーブルが通る間隔を空けて配列されていることを特徴とする請求項１に記載したフラットケーブル用折り曲げ保持具。
【請求項３】
前記第１の支承部および第２の支承部の前記支承面に、フラットケーブルを貫通して前記フラットケーブルを当該支承面上に位置決めする突起が設けられていることを特徴とする請求項１または請求項２に記載したフラットケーブル用折り曲げ保持具。
【請求項４】
前記第１の係止部および第２の係止部の前記係止面に、フラットケーブルの凸条が嵌る溝が設けられていることを特徴とする請求項１〜請求項３のいずれか一項に記載したフラットケーブル用折り曲げ保持具。
【請求項５】
前記第２の支承部の各支承面は、それぞれ、前記第２の側壁の方向に向かって前記第２の支承部の厚みが減少するように傾斜しており、前記第２の支承部の前記段差が、隣接する支承面との境界で前記傾斜が終端することにより生じていることを特徴とする請求項１〜請求項４のいずれか一項に記載したフラットケーブル用折り曲げ保持具。
【発明の詳細な説明】
【技術分野】
【０００１】
本発明は、例えば、ＦＦＣ｛即ち、Ｆｌｅｘｉｂｌｅ  Ｆｌａｔ  Ｃａｂｌｅ（フレキシブルフラットケーブル）｝、リボン電線、等といった可撓性を有するフラットケーブルを例えば自動車等といった車両の内部に配索する際に用いられるフラットケーブル用折り曲げ保持具に係り、特にフラットケーブルを折り曲げて方向を変える際に用いられるフラットケーブル用折り曲げ保持具に関する。
【背景技術】
【０００２】
自動車の車内等に配索されるフラットケーブルは、配索する経路に応じて方向を変えるために任意の角度に折り曲げられることが多い。フラットケーブルを折り曲げるための手段としては、図１０（ａ）〜図１０（ｃ）や、図１１（ａ）〜図１１（ｃ）に示す折り曲げ固定具が知られている。
【０００３】
図１０（ａ）〜図１０（ｃ）は、下記特許文献１に記載されており、図１０（ａ）は固定具の構成、図１０（ｂ）および図１０（ｃ）は、図１０（ａ）の固定具を使ってフラットケーブルを固定する手順を示している。
【０００４】
このフラットケーブル固定具１は、フラットケーブルＦＣを挟持する二枚の挟持板２を有している。これらの挟持板２は、略直角三角形の形状を有し、直角と接続する一辺には二枚の挟持板２を結合するヒンジ４が設けられ、また、ヒンジ４と対向する縁部には、二枚の挟持板２を係合するためのロック部５が設けられている。また、直角三角形の斜辺３は、フラットケーブルＦＣの折り曲げ角度に応じた角度で傾斜している。
【０００５】
この固定具１を使用する場合は、まず、二つの挟持板２でフラットケーブルＦＣを挟み込み、ロック部５をロックすることにより、図１０（ｂ）に示すように、固定具１をフラットケーブルＦＣの長手方向の中間部に取り付ける。このとき、フラットケーブルＦＣの折り曲げ予定の線を、斜辺３に位置合わせしておく。次に、図１０（ｃ）に示すように、斜辺３の位置を境界にして、フラットケーブルＦＣを折り曲げる。そして、その状態で固定具１の固定部（不図示）を車体等に係合させることで、フラットケーブルＦＣの折れ曲がり部を固定する。
【０００６】
ただ、このフラットケーブル固定具１では、折り曲げたフラットケーブルの形状を部品単体で安定保持することができない。
【０００７】
図１１（ａ）〜図１１（ｃ）は、下記特許文献２に記載されており、図１１（ａ）、図１１（ｂ）および図１１（ｃ）は、固定具を使ってフラットケーブルを固定する手順を示している。
【０００８】
このフラットケーブル固定具１は、フラットケーブルＦＣを挟持する略直角三角形の三枚の挟持板（第１の挟持板１１、第２の挟持板１２、第３の挟持板１３）を有し、第１の挟持板１１および第２の挟持板１２の直角と接続する一辺が狭い幅のヒンジ１４で結合され、第２の挟持板１２および第３の挟持板１３の斜辺が広い幅のヒンジ１５で結合されている。また、第１の挟持板１１および第２の挟持板１２には、ヒンジ１４と対向する縁部に両者をロックするためのロック部１６、１７が設けられ、また、第１の挟持板１１および第３の挟持板１３には、直角部分に両者をロックするためのロック部１８、１９が設けられている。
【０００９】
この固定具１０を使用する場合は、まず、三枚の挟持板１１、１２、１３を広げ（図１１（ａ））、第２の挟持板１２と第１の挟持板１１とでフラットケーブルＦＣを挟み込み、ロック部１６、１７をロックする（図１１（ｂ））。次に、第１の挟持板１１の斜辺の位置を境界にしてフラットケーブルＦＣを折り曲げるとともに、その上に第３の挟持板１３を重ねて、折り曲げたフラットケーブルＦＣを第１の挟持板１１と第３の挟持板１３とで挟み込み、ロック部１８、１９をロックする（図１１（ｃ））。
【００１０】
このフラットケーブル固定具１０では、折り曲げたフラットケーブルの形状を部品単体で安定保持することができる。
【００１１】
【特許文献１】特開平１０−９２２３８号公報
【特許文献２】特開平７−３１０４３号公報
【発明の開示】
【発明が解決しようとする課題】
【００１２】
しかし、前述した従来のフラットケーブル固定具は、フラットケーブルの折り曲げ角度が一つに設定されており、それ以外の角度にフラットケーブルを折り曲げる場合には使用することができない。そのため、フラットケーブルの配索時には、折り曲げ角度ごとの多種類のフラットケーブル固定具を用意して、折り曲げ角度に合った固定具を選択しながら作業を行なう必要があり、作業性が悪く、コストも嵩むことになる。
【００１３】
本発明は、上述した事情に鑑みてなされたものであり、その目的は、フラットケーブルを複数の折り曲げ角度で正確に保持することができるフラットケーブル用折り曲げ保持具を提供することにある。
【課題を解決するための手段】
【００１４】
前述した目的を達成するため、本発明に係るフラットケーブル用折り曲げ保持具は、下記（１）〜（７）を特徴としている。
（１）折れ曲がる前のフラットケーブルを保持する第１の保持部と、
斜辺を有する板状のベース本体を具備し、前記フラットケーブルが前記斜辺において前記ベース本体の一方の面から他方の面に折り曲げられるベース部と、
前記ベース部で折り曲げられた前記フラットケーブルを保持する第２の保持部と、
を備え、
前記第１の保持部は、
折り曲げ角度を広げようとする前記フラットケーブルの反発力を規制する第１の側壁と、
前記フラットケーブルの一方の面に接する支承面を有する第１の支承部と、
前記フラットケーブルの他方の面に接する係止面を有し、かつ、前記第１の側壁に片持ち支持された第１の係止部と、
を備え、
前記第２の保持部は、前記フラットケーブルを保持する複数の保持手段を有し、前記保持手段の各々で前記フラットケーブルを保持したときの前記ベース部でのフラットケーブルの折り曲げ角度がそれぞれ異なっており、
前記フラットケーブルの前記反発力を規制する第２の側壁と、
折り返された前記フラットケーブルの一方の面に接する係止面を前記保持手段の各々に対応して有し、かつ、前記第２の側壁に片持ち支持された第２の係止部と、
折り返された前記フラットケーブルの他方の面に接する支承面を前記保持手段の各々に対応して有し、かつ、前記支承面の相互の境界に前記フラットケーブルの前記反発力を規制する段差を有する第２の支承部と、
を備えること。
（２）上記（１）の構成のフラットケーブル用折り曲げ保持具であって、
前記第１の支承部、第１の係止部およびベース本体が、第１の支承部と第１の係止部との間、および、第１の係止部とベース本体との間にフラットケーブルが通る間隔を空けて配列され、前記ベース本体、第２の係止部および第２の支承部が、ベース本体と第２の係止部との間、および、第２の係止部と第２の支承部との間にフラットケーブルが通る間隔を空けて配列されていること。
（３）上記（１）または（２）の構成のフラットケーブル用折り曲げ保持具であって、
前記第１の支承部および第２の支承部の前記支承面に、フラットケーブルを貫通して前記フラットケーブルを当該支承面上に位置決めする突起が設けられていること。
（４）上記（１）〜（３）の構成のフラットケーブル用折り曲げ保持具であって、
前記第１の係止部および第２の係止部の前記係止面に、前記フラットケーブルの凸条が嵌る溝が設けられていること。
（５）上記（１）〜（４）の構成のフラットケーブル用折り曲げ保持具であって、
前記第２の支承部の各支承面は、それぞれ、前記第２の側壁の方向に向かって前記第２の支承部の厚みが減少するように傾斜しており、前記第２の支承部の前記段差が、隣接する支承面との境界で前記傾斜が終端することにより生じていること。
（６）上記（１）〜（５）の構成のフラットケーブル用折り曲げ保持具であって、
前記第２の係止部の各係止面は、それぞれ、当該係止部の自由端の方向に向かって前記第２の係止部の厚みが減少するように傾斜しており、前記フラットケーブルの脱出を規制する段差が、隣接する係止面との境界で前記傾斜が終端することにより生じていること。
（７）上記（１）〜（６）の構成のフラットケーブル用折り曲げ保持具であって、
前記第１の支承部またはベース部の前記第１の係止部の自由端に近接した位置、および、前記第２の支承部またはベース部の前記第２の係止部の自由端に近接した位置に、前記自由端の方向に厚みを増す傾斜面が形成された突部が設けられていること。
【００１５】
上記（１）の構成のフラットケーブル用折り曲げ保持具によれば、第２の保持部に、フラットケーブルを保持する複数の保持手段を設けているので、フラットケーブルを折り曲げるとき、保持手段を選択することにより、各種の折り曲げ角度でフラットケーブルを折り曲げることができる。
また、上記（１）の構成のフラットケーブル用折り曲げ保持具によれば、第１の保持部に、折り曲げ角度を広げようとするフラットケーブルの反発力を規制する第１の側壁と、第１の支承部と、第１の側壁に片持ち支持された第１の係止部とを設け、第２の保持部に、フラットケーブルの反発力を規制する第２の側壁と、第２の側壁に片持ち支持された第２の係止部と、各支承面の境界にフラットケーブルの反発力を規制する段差を有する第２の支承部とを設けているので、フラットケーブルの反発力を利用して、フラットケーブルの折り曲げ角度を所定角度に正確に設定することができる。また、フラットケーブルは、第１の係止部および第２の係止部の自由端から差し込むだけで、前記反発力のために第１および第２の係止部から外れることがない。
上記（２）の構成のフラットケーブル用折り曲げ保持具によれば、第１の支承部、第１の係止部およびベース本体を、フラットケーブルが通る間隔を空けて配列し、ベース本体、第２の係止部および第２の支承部を、フラットケーブルが通る間隔を空けて配列しているので、折り曲げる前のフラットケーブルは、第１の支承部の支承面、第１の係止部の係止面およびベース本体の一方の面に接するように、第１の支承部、第１の係止部およびベース本体の間に挟み込まれて保持され、また、折り曲げた後のフラットケーブルは、ベース本体の他方の面、第２の係止部の係止面および第２の支承部の支承面に接するように、ベース本体、第２の係止部および第２の支承部の間に挟み込まれて保持される。
上記（３）の構成のフラットケーブル用折り曲げ保持具によれば、第１および第２の支承部の支承面に、フラットケーブルを貫通する突起を設けているので、フラットケーブルを支承面に正確に位置決めすることができる。
上記（４）の構成のフラットケーブル用折り曲げ保持具によれば、第１および第２の係止部の係止面に、フラットケーブルの凸条が嵌る溝を設けているので、フラットケーブルを係止面に正確に位置決めすることができる。
上記（５）の構成のフラットケーブル用折り曲げ保持具によれば、第２の支承部の各支承面を、第２の側壁の方向に向かって第２の支承部の厚みが減少するように傾斜させ、それにより第２の支承部に段差を形成しているので、第２の支承部の厚さを増やさないで段差を形成することができる。
上記（６）の構成のフラットケーブル用折り曲げ保持具によれば、第２の係止部の各係止面を、当該係止部の自由端の方向に向かって第２の係止部の厚みが減少するように傾斜させ、それにより第２の係止部に、フラットケーブルの脱出規制用の段差を形成しているので、第２の係止部の厚さを増やさないで段差を形成することができる。
上記（７）の構成のフラットケーブル用折り曲げ保持具によれば、第１および第２の係止部の自由端に近接した位置に、自由端の方向に厚みを増す傾斜面が形成された突部を設けているので、係止部の自由端からフラットケーブルを差し込む際には支障が無く、フラットケーブルが係止部の自由端から外れようとするときに、それが妨げられる。
【発明の効果】
【００１６】
本発明のフラットケーブル用折り曲げ保持具は、フラットケーブルを複数の折り曲げ角度に保持することができ、かつ、その角度を安定して維持することができる。従って、フラットケーブルの配索時に、多種類のフラットケーブル固定具を用意する必要が無くなり、そのために作業性が向上し、コストの削減が可能になる。
【００１７】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１８】
以下、本発明に係るフラットケーブル用折り曲げ保持具の実施形態を図面に基づいて詳細に説明する。
【００１９】
本発明に係るフラットケーブル用折り曲げ保持具が取り付けられるフラットケーブルとしては、上述したように、例えば、ＦＦＣ、リボン電線、等といった可撓性を有する本体を備えたものが例示される。ここでは、本発明に係るフラットケーブル用折り曲げ保持具の実施形態としてＦＦＣに取り付けられる形態のフラットケーブル用折り曲げ保持具を説明する。
【００２０】
即ち、後述される本発明の実施形態は、平行に配置された複数の電線部と、それら複数の電線部の絶縁外皮間を繋ぐように当該絶縁外皮に一体的に形成されたブリッジ部と、該ブリッジ部に形成された打ち抜き孔と、を有するＦＦＣに用いられる。
【００２１】
より詳細には、後述する本発明の実施形態に用いたＦＦＣは、少なくとも一本の導線からなる導体部および該導体部の外周面を被覆する絶縁外皮を有する４本の電線部と、それら電線部を平行にそれらの絶縁外皮間を繋ぐように当該絶縁外皮に一体的に形成された３つの短冊状のブリッジ部と、該ブリッジ部の厚さ方向への打ち抜きにより当該ブリッジ部に位置決め用の貫通孔として形成された打ち抜き孔と、を有する。
【００２２】
図１〜図３は、フラットケーブル用折り曲げ保持具の構成を示し、そして図４〜図９は、この保持具を用いてフラットケーブル（上述した通り本例ではＦＦＣを用いるが、『フラットケーブル』と記述する。）を折り曲げる手順を示している。図１は、折り曲げ保持具の表面側から見た斜視図、図２は、図１の矢視ＩＩから見た折り曲げ保持具の側面図、また、図３は、図１のＩＩＩ−ＩＩＩにおける折り曲げ保持具の断面図である。
【００２３】
図１に示すように、このフラットケーブル用折り曲げ保持具２０は、大別して、フラットケーブルの折り曲げが行なわれるベース部２１と、ベース部２１に導入されるフラットケーブルを保持する導入側保持部２２と、ベース部２１で折り曲げられたフラットケーブルを、折り曲げ角度が６０度、９０度または１２０度となるように保持する導出側保持部２３とを備えており、このベース部２１、導入側保持部２２および導出側保持部２３がプラスチックで一体成形されている。
【００２４】
導入側保持部２２は、フラットケーブルが外側に広がるのを規制する側壁２２１と、側壁２２１に片持ち支持された係止片２２２と、係止片２２２およびベース部２１と協働してフラットケーブルを保持する支承板２２３と、支承板２２３の片側をベース部２１に結合する連結部２２４とを備えている。
【００２５】
支承板２２３は、フラットケーブルに接する支承面２２３ａ（図２、図５）を裏側（下側）に有しており、この支承面２２３ａには、フラットケーブルの打ち抜き孔３１（図４、図５）に挿通してフラットケーブルを位置決めする位置決め突起２２６が設けられている（図２、図５）。
【００２６】
支承板２２３は、側壁２２１および連結部２２４に固定され、それらを通じてベース部２１のベース本体２１０に連結している。係止片２２２は、フラットケーブルに接する係止面２２２ａを表側（上側）に有し、この係止面２２２ａにはフラットケーブルの凸条（導体配設箇所に凸条が生じている）の嵌る溝２２２ｅが形成されている。
【００２７】
支承板２２３と係止片２２２とベース本体２１０とは、表側から見たとき、それぞれの間にフラットケーブルが通る隙間を空けて並んでいる。側方から見ると、係止片２２２は側壁２２１の下縁側に、また、支承板２２３は側壁２２１の上縁側にそれぞれ固定され、支承板２２３の支承面２２３ａ、係止片２２２の係止面２２２ａおよびベース本体２１０の裏面は、略同一平面上に位置している。側壁２２１に片持ち支持された係止片２２２の自由端には、フラットケーブルの挿入を容易にするために傾斜面２２２ｄが設けられており、フラットケーブルは、係止片２２２の自由端の側から、支承板２２３、係止片２２２およびベース本体２１０の間を縫うように挟み込まれる。
【００２８】
また、係止片２２２の自由端に近い支承板２２３およびベース本体２１０上の位置には、フラットケーブルが係止片２２２から抜け出るのを防止する突起部２２５（図５）が設けられている。この突起部２２５には、係止片２２２の方向に高さを増す傾斜面が形成されている。そのため、係止片２２２の自由端からフラットケーブルを挿入するときには障害にならないが、係止片２２２の自由端からフラットケーブルが抜け出るときには、突起部２２５の垂直面にぶつかるので、抜け出ることが妨げられる。
【００２９】
ベース部２１は、板状のベース本体２１０を有し、このベース本体２１０が導入側保持部２２に対して側壁２２１および連結部２２４で結合され、また、導出側保持部２３に対しても同様に、側壁２３１および連結部２３４で結合されている。ベース本体２１０は、フラットケーブルを裏面（下面）側から表面（上面）側に折り返すための斜辺２１１を有している。この斜辺２１１以外の外側縁は側壁２２１または側壁２３１で囲まれており、フラットケーブルが斜辺２１１以外の箇所で折れ曲がるのを防いでいる。
【００３０】
また、ベース本体２１０は、折り返したフラットケーブルを導出側保持部２３に導く斜面２１２を有しており、この斜面２１２の先端部分には、フラットケーブルの凸条の通過溝２１３が設けられている。
【００３１】
導出側保持部２３は、導入側保持部２２と同様に、側壁２３１、係止片２３２、支承板２３３および連結部２３４で構成されているが、ベース部２１で折り返されたフラットケーブルを保持するために導入側保持部２２を裏返した配置になっていること、係止片２３２および支承板２３３が、フラットケーブルを６０度、９０度または１２０度の折り曲げ角度で保持できるように構成されていること、の２点で導入側保持部２２と違っている。
【００３２】
即ち、側壁２３１に片持ち支持された係止片２３２は、図３に示すように、その裏側（下側）に、自由端の側から順に、フラットケーブルを６０度の折り曲げ角度で保持する第１係止面２３２ａ、９０度の折り曲げ角度で保持する第２係止面２３２ｂおよび１２０度の折り曲げ角度で保持する第３係止面２３２ｃを有している。第１係止面２３２ａ、第２係止面２３２ｂおよび第３係止面２３２ｃのそれぞれは、係止片２３２の自由端側に向かって係止片２３２の厚みが減少するように傾斜しており、第３係止面２３２から第２係止面２３２ｂに変わる境界、および、第２係止面２３２ｂから第１係止面２３２ａに変わる境界で係止片２３２の厚みが増し、フラットケーブルの第３係止面２３２から第２係止面２３２ｂへの移動、あるいは、第２係止面２３２ｂから第１係止面２３２ａへの移動を妨げる段差（係止突起部）２３７が形成されている。また、係止片２３２の自由端には、フラットケーブルの挿入を容易にするための傾斜面２３２ｄが設けられており、また、第１係止面２３２ａ、第２係止面２３２ｂおよび第３係止面２３２ｃのそれぞれには、フラットケーブルの凸条が嵌る溝２３２ｅが形成されている。
【００３３】
側壁２３１および連結部２３４に固定された支承板２３３は、図１、図２に示すように、表側（上側）に、フラットケーブルを６０度の折り曲げ角度で保持する第１支承面２３３ａ、９０度の折り曲げ角度で保持する第２支承面２３３ｂおよび１２０度の折り曲げ角度で保持する第３支承面２３３ｃを有している。第１支承面２３３ａ、第２支承面２３３ｂおよび第３支承面２３３ｃのそれぞれは、側壁２３１側に向かって支承板２３３の厚みが減少するように傾斜しており、第１支承面２３３ａから第２支承面２３３ｂに変わる境界、および、第２支承面２３３ｂから第３支承面２３３ｃに変わる境界で支承板２３３の厚みが増し、フラットケーブルに当接してフラットケーブルを第１支承面２３３ａ、あるいは、第２支承面２３３ｂに位置決めする段差（電線突き当て部）２３８が形成されている。尚、フラットケーブルを第３支承面２３３ｃに位置決めする電線突き当て部の役割は、側壁２３１が担っている。
【００３４】
また、第１支承面２３３ａ、第２支承面２３３ｂおよび第３支承面２３３ｃのそれぞれには、フラットケーブルの打ち抜き孔３１（図４）に挿通してフラットケーブルを位置決めする位置決め突起２３６が設けられており、また、係止片２３２側の先端部分には、フラットケーブルの凸条の通過溝２３９が設けられている。
【００３５】
支承板２３３と係止片２３２とベース本体２１０とは、表側から見たとき、それぞれの間にフラットケーブルが通る隙間を空けて並んでいる。側方から見ると、係止片２３２は側壁２３１の上縁側に、また、支承板２３３は側壁２３１の下縁側に、それぞれ固定されており、支承板２３３の第１支承面２３３ａ、第２支承面２３３ｂおよび第３支承面２３３ｃは、係止片２３２の第１係止面２３２ａ、第２係止面２３２ｂおよび第３係止面２３２ｃと略同一の高さに位置している。
【００３６】
ベース部２１で折り曲げられたフラットケーブルは、片持ち支持された係止片２３２の自由端の側から挿入され、ベース本体２１０、係止片２３２および支承板２３３の間を縫うように挟み込まれる。このとき、フラットケーブルは、折り曲げ角度に応じて、係止片２３２の第１係止面２３２ａの位置、第２係止面２３２ｂの位置、あるいは第３係止面２３２ｃの位置まで挿入され、支承板２３３の第１支承面２３３ａ、第２支承面２３３ｂ、あるいは第３支承面２３３ｃによって支承される。
【００３７】
また、係止片２３２の自由端に近い支承板２３３およびベース本体２１０上の位置には、フラットケーブルが係止片２３２から抜け出るのを防止する突起部２３５が設けられている。この突起部２３５には、係止片２３２に向かって高さを増す傾斜面が形成されており、突起部２２５（図５）と同じように機能する。
【００３８】
次に、図４〜図９を参照しながら、このフラットケーブル用折り曲げ保持具２０を用いてフラットケーブルを折り曲げる手順について説明する。
【００３９】
まず、図４（表側から見た図）、図５（裏側から見た図）に示すように、ブリッジ部の所定位置に打ち抜き孔３１を形成したフラットケーブル３０を、導入側保持部２２の係止片２２２の自由端側から側壁２２１に達するまで差し込み、支承板２２３の支承面２２３ａに設けられている位置決め突起２２６をフラットケーブル３０の打ち抜き孔３１に挿通してフラットケーブル３０を支承面２２３ａ上に位置決めする。
【００４０】
このとき、フラットケーブル３０は、支承板２２３の支承面２２３ａに接した後、支承板２２３と係止片２２２との隙間で曲げられて係止片２２２の係止面２２２ａに接し、次いで、係止片２２２とベース本体２１０との隙間で曲げられてベース本体２１０の裏面に接するように支承板２２３、係止片２２２およびベース本体２１０の間に挟み込まれる。
【００４１】
次に、図６に示すように、フラットケーブル３０をベース本体２１０の斜辺２１１で折り返して、導出側保持部２３の係止片２３２の自由端方向に導出する（図４、図５の白矢印は、図６の状態にするためのフラットケーブル３０の折り曲げ方向を示している）。このとき、連結部２２４、２３４は、側壁２２１、２３１に比べて幅が狭いため、この折り返し作業やそれに続く作業の邪魔にならない。
【００４２】
次に、フラットケーブル３０の折り曲げ角度が９０度の場合は、図７に示すように、フラットケーブル３０を係止片２３２の自由端から挿入して、支承板２３３の第２支承面２３３ｂと第３支承面２３３ｃとの境界の電線突き当て部２３８に当接するまで差し込み、第２支承面２３２ｂの位置決め突起２３６をフラットケーブル３０の打ち抜き孔３１に挿通してフラットケーブル３０を第２支承面２３３ｂに位置決めする（図６の白矢印は、図７の状態にするためのフラットケーブル３０の移動方向を示している）。
【００４３】
このとき、フラットケーブル３０は、ベース本体２１０の斜辺２１１で９０度に折れ曲がった後、ベース本体２１０と係止片２３２との隙間を通って係止片２３２の第２係止面２３２ｂに接し、次いで、係止片２３２と支承板２３３との隙間を通って支承板２３３の第２支承面２３３ｂに接するようにベース本体２１０、係止片２３２および支承板２３３の間に挟み込まれる。
【００４４】
また、フラットケーブル３０の折り曲げ角度が６０度の場合は、図８に示すように、フラットケーブル３０を係止片２３２の自由端から挿入して、支承板２３３の第１支承面２３３ａと第２支承面２３３ｂとの境界の電線突き当て部２３８に当接するまで差し込み、第１支承面２３３ａの位置決め突起２３６をフラットケーブル３０の打ち抜き孔３１に挿通してフラットケーブル３０を第１支承面２３３ａに位置決めする。
【００４５】
このとき、フラットケーブル３０は、ベース本体２１０の斜辺２１１で６０度に折れ曲がった後、ベース本体２１０と係止片２３２との隙間を通って係止片２３２の第１係止面２３２ａに接し、次いで、係止片２３２と支承板２３３との隙間を通って支承板２３３の第１支承面２３３ａに接するようにベース本体２１０、係止片２３２および支承板２３３の間に挟み込まれる。
【００４６】
また、フラットケーブル３０の折り曲げ角度が１２０度の場合は、図９に示すように、フラットケーブル３０を係止片２３２の自由端から挿入して、側壁２３１に当接するまで差し込み、第３支承面２３３ｃの位置決め突起２３６をフラットケーブル３０の打ち抜き孔３１に挿通してフラットケーブル３０を第３支承面２３３ｃに位置決めする。
【００４７】
このとき、フラットケーブル３０は、ベース本体２１０の斜辺２１１で１２０度に折れ曲がった後、ベース本体２１０と係止片２３２との隙間を通って係止片２３２の第３係止面２３２ｃに接し、次いで、係止片２３２と支承板２３３との隙間を通って支承板２３３の第３支承面２３３ｃに接するようにベース本体２１０、係止片２３２および支承板２３３の間に挟み込まれる。
【００４８】
こうして、所定の角度で折り曲げたフラットケーブルを安定保持したフラットケーブル用折り曲げ保持具２０は、支承板２２３、２３２の支承面と反対側の面、あるいは、係止片２２２、２３２の係止面と反対側の面を取付け面として、任意の固定手段（不図示）で自動車の車内等に固定される。尚、この取付け面の肉厚を増すことにより、この保持具の取付けは容易になる。
【００４９】
このように、このフラットケーブル用折り曲げ保持具は、フラットケーブルを複数の折り曲げ角度で折り曲げることができる。
【００５０】
また、この保持具では、折り曲げたフラットケーブルの反発力を利用することにより、フラットケーブルを所定角度に正確に固定・保持することができる。即ち、折り曲げたフラットケーブルは、折り曲げ角度を広げる方向（図７の白矢印の方向）に反発するが、この保持具では、外側に広がろうとするフラットケーブルを、導入側保持部２２の側壁２２１と、導出側保持部２３の電線突き当て部２３８（あるいは側壁２３１）とで規制しているため、フラットケーブルの折り曲げ角度は、この導入側保持部２２の側壁２２１と導出側保持部２３の電線突き当て部２３８（あるいは側壁２３１）とで規定された角度に正確に一致することになる。また、導入側保持部２２の係止片２２２、および、導出側保持部２３の係止片２３２の各自由端は、互いに向き合う方向に開口しているため、これらの自由端から差し込まれたフラットケーブルは、前記反発力の作用で自由端から殆ど抜け出すことがない。
【００５１】
また、この保持具では、支承板２２３や支承板２３３の支承面に位置決め突起２２６、２３６を設け、フラットケーブルの打ち抜き孔に挿通してフラットケーブルを位置決めしているため、保持具に対するフラットケーブルの位置決めに特別の治具を必要としない。
【００５２】
また、この保持具では、導出側保持部２３の係止片２３２に係止突起部２３７を設け、また、係止片２２２や係止片２３２の自由端近傍に突起部２２５、２３５を設けているため、保持具からのフラットケーブルの外れを防ぐことができる。
【００５３】
また、この保持具では、係止片２３２の係止面や支承板２３３の支承面を斜めに設定して係止突起部２３７や電線突き当て部２３８となる段差を形成しているため、係止片２３２や支承板２３３の厚みを抑えることができる。
【００５４】
また、この保持具では、係止片２２２、２３２の係止面や、ベース本体２１０の斜面２１２の先端、支承板２３３の先端等に、フラットケーブルの形状に対応した電線通過溝を設けているため、フラットケーブルを安定して保持することができる。
【００５５】
尚、ここでは、フラットケーブルの折り曲げ角度を６０度、９０度および１２０度の３段階に設定する場合について説明したが、折り曲げ角度の大きさや設定数は、これに限定されない。
【００５６】
また、ここでは、フラットケーブルに打ち抜き孔を設けて位置決め突起に挿通する例を説明したが、位置決め突起をフラットケーブルの絶縁体に突き刺してフラットケーブルの位置決めを行なうようにしても良い。
【００５７】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【図面の簡単な説明】
【００５８】
【図１】本発明の実施形態のフラットケーブル用折り曲げ保持具の表面側から見た斜視図である。
【図２】図１のＩＩ矢視方向から見た側面図である。
【図３】図１のＩＩＩ−ＩＩＩ矢視断面図である。
【図４】同折り曲げ保持具の導入側保持部でフラットケーブルを保持した状態を表側から見た斜視図である。
【図５】図４の状態を裏面側から見た斜視図である。
【図６】図４の次の操作として同折り曲げ保持具の表面側にフラットケーブルを折り曲げた状態を表面側から見た斜視図である。
【図７】同折り曲げ保持具でフラットケーブルを９０度に折り曲げた状態を表面側から見た斜視図である。
【図８】同折り曲げ保持具でフラットケーブルを６０度に折り曲げた状態を表面側から見た斜視図である。
【図９】同折り曲げ保持具でフラットケーブルを１２０度に折り曲げた状態を表面側から見た斜視図である。
【図１０】従来の折り曲げ固定具を示す図で、（ａ）は同固定具の構成、（ｂ）および（ｃ）はその使い方の手順を示す図である。
【図１１】従来の他の折り曲げ固定具を示す図で、（ａ）〜（ｃ）は同固定具での取付け順序を示す図である。
【符号の説明】
【００５９】
２０      フラットケーブル用折り曲げ保持具
２１      ベース部
２１０    ベース本体
２１１    斜辺
２１２    斜面
２１３    通過溝
２２      導入側保持部
２２１    側壁
２２２    係止片
２２２ａ  係止面
２２２ｄ  傾斜面
２２２ｅ  溝
２２３    支承板
２２３ａ  支承面
２２４    連結部
２２５    突起部
２２６    位置決め突起
２３      導出側保持部
２３１    側壁
２３２    係止片
２３２ａ  第１係止面
２３２ｂ  第２係止面
２３２ｃ  第３係止面
２３２ｄ  傾斜面
２３２ｅ  溝
２３３    支承板
２３３ａ  第１支承面
２３３ｂ  第２支承面
２３３ｃ  第３支承面
２３４    連結部
２３５    突起部
２３６    位置決め突起
２３７    係止突起部
２３８    電線突き当て部
２３９    通過溝
３１      打ち抜き孔
【図１】
0004417321.tif 000002
【図２】
0004417321.tif 000003
【図３】
0004417321.tif 000004
【図４】
0004417321.tif 000005
【図５】
0004417321.tif 000006
【図６】
0004417321.tif 000007
【図７】
0004417321.tif 000008
【図８】
0004417321.tif 000009
【図９】
0004417321.tif 000010
【図１０】
0004417321.tif 000011
【図１１】
0004417321.tif 000012